(57)【要約】【課題】挿入荷重を低減して切れ等を防止することが可能な、また、例えば電線が振れたとしても防水性能の確保を安定させることが可能な、防水栓を提供する。【解決手段】防水栓２７は、この内側が電線の被覆外周面に液密に密着するとともに、外側がコネクタハウジングの端子収容室２２の内周面３４に液密に密着する略筒状の弾性部材である。防水栓２７の外周面には、環状のリップ部が形成される。このリップ部は、複数形成される。複数のリップ部は、電線を挿通する孔の軸に対し傾く方向にのびる斜めリップ部３６として形成される。この複数の斜めリップ部３６は、上記軸に沿って所定の間隔Ｄをあけて並んで配置される。複数の斜めリップ部３６のそれぞれは、端子収容室２２の内周面３４に対する初期接触部分Ａと最終接触部分Ｂとを有する。【選択図】図３
2016076384.tif 000002
【特許請求の範囲】
【請求項１】
弾力性を有する略筒状の部材であり、内側に電線挿通孔が形成されるとともに、外周面に環状のリップ部が形成され、且つ、前記電線挿通孔は端末に端子金具が設けられた電線の被覆外周面に液密に密着するとともに、前記リップ部はコネクタハウジングの端子収容室の内周面に液密に密着する防水栓において、
前記リップ部は複数形成され、且つ、該複数のリップ部は前記電線挿通孔の軸に対し傾く方向にのびる斜めリップ部として形成され、且つ、該複数の斜めリップ部は前記軸に沿って所定の間隔をあけて並んで配置される
ことを特徴とする防水栓。
【請求項２】
請求項１に記載の防水栓において、
前記複数の斜めリップ部のそれぞれは、前記端子収容室の前記内周面に対する初期接触部分と最終接触部分とを有し、且つ、前記所定の間隔としては、前記端子収容室に先に挿入される前記斜めリップ部の前記最終接触部分の位置と、次に挿入される前記斜めリップ部の前記初期接触部分の位置とを前記軸上で略一致させる間隔が最短として設定される
ことを特徴とする防水栓。
【請求項３】
請求項１又は２に記載の防水栓において、
前記複数の斜めリップ部のそれぞれは、前記軸に対し傾く方向が一つだけ設定、又は、複数設定されてなる
ことを特徴とする防水栓。
【発明の詳細な説明】
【技術分野】
【０００１】
本発明は、電線の被覆外面とコネクタハウジングの端子収容室の内周面とに液密に密着する防水栓に関する。
【背景技術】
【０００２】
複数本の電線からなるワイヤハーネスの端末にコネクタが設けられ、このコネクタに防水性能を持たせるために、従来から防水栓が用いられる（具体的には、コネクタハウジングと電線との間の防水性能確保に防水栓が用いられる）。
【０００３】
図９及び図１０（ａ）において、例えば下記特許文献１に開示される防水栓１（所謂ゴム栓）は、弾力性を有する略筒状に形成される。防水栓１は、この内側に電線挿通孔２が形成される。また、防水栓１の外周面３には、リップ部４、５が形成される。この他、防水栓１には、端子金具６の被覆加締め片７によって電線８の被覆９とともに加締められる圧着部１０が形成される。防水栓１は、電線８の被覆外周面に液密に密着するように形成される。また、防水栓１は、リップ部４、５がコネクタハウジング１１の端子収容室１２の内周面１３に液密に密着するように形成される。
【０００４】
図１０（ａ）において、リップ部４、５は、それぞれ環状に形成される。もう少し詳しく説明すると、防水栓１の外周面３から外側に断面山形状に突出する部分に形成される。また、断面山形状のリップ部４、５は、この頂部が防水栓１の中心軸Ｃ１（電線挿通孔２の軸）に直交する軸Ｃ２上に位置するように形成される。リップ部４、５は、間隔をあけずに並んで（連続して）形成される。リップ部４、５は、端子収容室１２に対し先に挿入される方、すなわちリップ部４の方が突出する高さが低くなるように形成される。リップ部４、５は、端子収容室１２の内周面１３の径よりも大きな外径を有するように形成される。
【０００５】
上記構成及び構造において、防水栓１を電線８に組み付け、この状態でコネクタハウジング１１の端子収容室１２に対し挿入を行うと、先ず、リップ部４が端子収容室１２の開口縁１４に当接する。リップ部４は、挿入に係る作用により弾性変形して潰れ、この潰れによって端子収容室１２の内部へと挿入される。リップ部４が挿入されると、次に、リップ部５が端子収容室１２の開口縁１４に当接する。リップ部５もリップ部４と同様に弾性変形して潰れ、この潰れによって端子収容室１２の内部へと挿入される。
【０００６】
上記従来技術にあっては、リップ部４、５の頂部が軸Ｃ２上に位置するような環状のリブ形状に形成されることから、端子収容室１２の開口縁に当接する部分は、図１０（ｂ）、（ｃ）のハッチング箇所４ａ、５ａに一致する。すなわち、リップ部４、５のそれぞれは、この全周にわたって端子収容室１２の開口縁１４に当接する。全周にわたってリップ部４、５が端子収容室１２の開口縁１４に当接することから、挿入荷重が当然に大きくなってしまうことになる。
【０００７】
従来技術は、リップ部４、５の突出高さを変えて初期の挿入荷重を低減しようとするが、その効果は僅かである。何故ならば、リップ部４、５は間隔をあけずに並んで配置されるからである。これにより、リップ部４が弾性変形する際の歪みに係る体積移動がリップ部５の存在によって妨げられてスムーズに行われず、そのため効果は僅かである。尚、挿入荷重が高くなると、リップ部４、５に切れが生じる虞がある。切れが生じると防水性能の確保が困難になるという問題点がある。
【０００８】
ところで、初期挿入荷重を低減するため、下記特許文献２には次のような技術が開示される。特許文献２は、ハウジングにコネクタを挿入する際の挿入荷重を低減することを目的として提案されたものである。図１１を参照しながら簡単に説明をすると、ハウジング１５には、コネクタ挿入孔１６が形成される。一方、コネクタ１７には、コネクタ挿入孔１６に挿入される軸部１８が形成される。この軸部１８には、環状溝１９が一つ形成され、環状溝１９には、弾性部材２０が取り付けられる。弾性部材２０は、環状溝１９とコネクタ挿入孔１６とにそれぞれ液密に密着するような形状に形成される。また、弾性部材２０のサイズは、環状溝１９の形状に合わせて設定される。環状溝１９は、コネクタ挿入孔１６の軸に対して斜めになるような軸Ｃ３の溝に形成される。
【０００９】
上記構成及び構造において、環状溝１９に弾性部材２０を組み付けてコネクタ１７の軸部１８をハウジング１５のコネクタ挿入孔１６に挿入すると、弾性部材２０における矢印Ａ部分がコネクタ挿入孔１６の開口縁に当接する。弾性部材２０の矢印Ａ部分は、挿入に係る作用により弾性変形して潰れた状態になり、この潰れによってコネクタ挿入孔１６の内部へと挿入される。弾性部材２０は挿入に伴い徐々に弾性変形する部分が増え、最終的に矢印Ｂ部分まで弾性変形すると、弾性部材２０の全体がコネクタ挿入孔１６の内部に挿入された状態になる。
【００１０】
本願発明者は、弾性部材２０と同じ形状、すなわちコネクタ挿入孔１６の軸に対して斜めになるような形状を、同じ配置及び数で図１０の防水栓１の外周面３に形成し、これをリップ部４、５の代替部分にすることを検討した。しかしながら、防水栓１は電線８に組み付けられるものであり、電線８に外力が加わって電線８の振れが生じると、この時、代替部分の数が一つであれば電線８の振れに伴って揺動が起こり、結果、代替部分での防水性能を安定して確保することができないと本願発明者は考えた。すなわち、特許文献２の技術を単純に採用するだけでは不十分であり、改善の余地があると本願発明者は考えた。
【先行技術文献】
【特許文献】
【００１１】
【特許文献１】特開２０１３−１５２８０３号公報
【特許文献２】特開２００７−３１１２２４号公報
【発明の概要】
【発明が解決しようとする課題】
【００１２】
本発明は、上記した事情に鑑みてなされたもので、挿入荷重を低減して切れ等を防止することが可能な、また、例えば電線が振れたとしても防水性能の確保を安定させることが可能な、防水栓を提供することを課題とする。
【課題を解決するための手段】
【００１３】
上記課題を解決するためになされた請求項１に記載の本発明は、弾力性を有する略筒状の部材であり、内側に電線挿通孔が形成されるとともに、外周面に環状のリップ部が形成され、且つ、前記電線挿通孔は端末に端子金具が設けられた電線の被覆外周面に液密に密着するとともに、前記リップ部はコネクタハウジングの端子収容室の内周面に液密に密着する防水栓において、前記リップ部は複数形成され、且つ、該複数のリップ部は前記電線挿通孔の軸に対し傾く方向にのびる斜めリップ部として形成され、且つ、該複数の斜めリップ部は前記軸に沿って所定の間隔をあけて並んで配置されることを特徴とする。
【００１４】
このような特徴を有する本発明によれば、コネクタハウジングの端子収容室に対し防水栓の挿入を開始すると、複数あるうちの一番先に挿入される斜めリップ部は、この一部が端子収容室の開口縁に当接する。斜めリップ部の上記一部は、挿入に係る作用により弾性変形して潰れた状態になり、この潰れによって端子収容室の内部へと挿入される。斜めリップ部は、挿入に伴って徐々に弾性変形する部分が増え、最終的にこの全体が弾性変形すると、一番目の斜めリップ部が端子収容室に挿入された状態になる。そして、次に挿入される斜めリップ部も挿入の過程で上記と同じ状態になる。
【００１５】
斜めリップ部は所定の間隔をあけて並んで配置されることから、全ての斜めリップ部が挿入されると、防水栓は複数の斜めリップ部の各形成箇所で端子収容室の内周面に液密に密着する。この時、防水栓は、複数箇所で恰も保持されたような状態になり、防水栓の組み付け先である電線に振れが生じた場合であっても防水栓は防水性能の確保に影響するような揺動が生じることがない。
【００１６】
請求項２に記載の本発明は、請求項１に記載の防水栓において、前記複数の斜めリップ部のそれぞれは、前記端子収容室の前記内周面に対する初期接触部分と最終接触部分とを有し、且つ、前記所定の間隔としては、前記端子収容室に先に挿入される前記斜めリップ部の前記最終接触部分の位置と、次に挿入される前記斜めリップ部の前記初期接触部分の位置とを前記軸上で略一致させる間隔が最短として設定されることを特徴とする。
【００１７】
このような特徴を有する本発明によれば、例えば一番先に挿入される斜めリップ部の挿入途中では、次に挿入される斜めリップ部の挿入が開始されることがない。本発明では、一番先に挿入される斜めリップ部の挿入が終わるタイミングで、又は、挿入が終わってからのタイミングで、次に挿入される斜めリップ部の挿入が開始される。
【００１８】
請求項３に記載の本発明は、請求項１又は２に記載の防水栓において、前記複数の斜めリップ部のそれぞれは、前記軸に対し傾く方向が一つだけに設定されてなる、又は、傾く方向の部分が複数連続させるように設定されてなることを特徴とする。
【００１９】
このような特徴を有する本発明によれば、コネクタハウジングの端子収容室に対する当接が一箇所又は複数箇所になるような設定で斜めリップ部が形成される。すなわち、全周にわたっての当接になるような設定ではない。
【発明の効果】
【００２０】
請求項１に記載された本発明によれば、挿入荷重を低減して切れ等を防止することができるという効果を奏する。また、本発明によれば、例えば電線が振れたとしても防水性能の確保を安定させることができるという効果も奏する。
【００２１】
請求項２に記載された本発明によれば、挿入荷重の低減に寄与することができるという効果を奏する。
【００２２】
請求項３に記載された本発明によれば、初期挿入荷重を低減することができるという効果を奏する。
【図面の簡単な説明】
【００２３】
【図１】本発明に係る防水栓が組み付けられた端子付き電線と、この端子付き電線の収容先になるコネクタハウジングとを示す斜視図である（実施例１）。
【図２】図１の防水栓の側面図である（実施例１）。
【図３】図２の防水栓が端子収容室に挿入される際の状態を示す概略図である（実施例１）。
【図４】図２の防水栓が端子収容室に挿入される際に最初に当接する箇所を模式的に示す防水栓の正面図である（実施例１）。
【図５】本発明の他の例に係る防水栓が組み付けられた端子付き電線と、この端子付き電線の収容先になるコネクタハウジングとを示す斜視図である（実施例２）。
【図６】図５の防水栓の側面図である（実施例２）。
【図７】図５の防水栓が端子収容室に挿入される際の状態を示す概略図である（実施例２）。
【図８】図５の防水栓が端子収容室に挿入される際に最初に当接する箇所を模式的に示す防水栓の正面図である（実施例２）。
【図９】従来例に係る図であり、防水栓が組み付けられた端子付き電線が端子収容室に半挿入された状態を示す断面図である。
【図１０】図９の防水栓に係る図であり、（ａ）は断面図、（ｂ）及び（ｃ）は当接箇所を模式的に示す防水栓の正面図である。
【図１１】他の従来例に係る図であり、弾性部材が組み付けられたコネクタの軸部がコネクタ挿入孔に挿入された状態を示す断面図である。
【発明を実施するための形態】
【００２４】
防水栓は、この内側が電線の被覆外周面に液密に密着するとともに、外側がコネクタハウジングの端子収容室の内周面に液密に密着する略筒状の弾性部材である。防水栓の外周面には、環状のリップ部が形成される。このリップ部は、複数形成される。複数のリップ部は、電線を挿通する孔の軸に対し傾く方向にのびる斜めリップ部として形成される。この複数の斜めリップ部は、上記軸に沿って所定の間隔をあけて並んで配置される。複数の斜めリップ部のそれぞれは、端子収容室の内周面に対する初期接触部分と最終接触部分とを有する。
【実施例１】
【００２５】
以下、図面を参照しながら実施例１を説明する。図１は本発明に係る防水栓が組み付けられた端子付き電線と、この端子付き電線の収容先になるコネクタハウジングとを示す斜視図である。また、図２は防水栓の側面図、図３は防水栓が端子収容室に挿入される際の状態を示す概略図、図４は防水栓が端子収容室に挿入される際に最初に当接する箇所を模式的に示す防水栓の正面図である。
【００２６】
＜全体構成＞
図１において、引用符号２１は電気的な接続に用いられるコネクタのコネクタハウジングを示す。コネクタハウジング２１は、絶縁性を有する樹脂材料を射出成形してなる成形品であって、端子収容室２２を複数有する。端子収容室２２は、コネクタハウジング２１の後部において、円筒形の筒部２３により区画形成される。筒部２３の開口縁は、端子付き電線２４の挿入開始部分である。
【００２７】
端子付き電線２４は、電線２５と、この電線２５の端末に設けられる端子金具２６と、電線２５を伝っての水分等の浸入を防止する防水栓２７とを備えて構成される。電線２５は、断面円形状で公知のものであって、導体と被覆（絶縁体）とを備えて構成される。端子金具２６は、導電性を有する金属板をプレス加工することにより形成される。端子金具２６は、本実施例において雌形であって、略箱状の電気接触部２８と、一対の導体加締め片２９と、一対の被覆加締め片３０とを有する。尚、図中は加締め後の導体加締め片２９と被覆加締め片３０とを示す。
【００２８】
＜防水栓２７について＞
図１及び図２において、防水栓２７は、ゴム又はエラストマー製の弾力性を有する略筒状の部材であって、端子金具２６とともに電線２５の端末に設けられる。尚、防水栓２７は、一般的にゴム栓と呼ばれることもあることから、これに読み替えてもよいものとする。
【００２９】
防水栓２７は、防水栓本体３１と、この防水栓本体３１に連続する圧着部３２とを有する。また、防水栓２７は、この中心軸Ｃ１に同軸となる電線挿通孔３３（図４参照）を有する。防水栓２７は、この外側がコネクタハウジング２１の端子収容室２２の内周面３４（図３参照）に液密に密着するように形成される。また、防水栓２７は、この内側が電線２５の被覆外周面に液密に密着するように形成される。さらに、防水栓２７は、圧着部３２の部分が被覆加締め片３０（図１参照）の加締めにより圧縮されるように形成される。尚、圧着部３２に関し、この形成は任意であるものとする。すなわち、防水栓本体３１のみで防水栓２７を構成してもよいものとする。
【００３０】
図２において、防水栓本体３１は、中心軸Ｃ１に沿って所定の長さで形成される。防水栓本体３１の外周面３５は、滑らかな曲面に形成される。圧着部３２が連続する側には、本発明の特徴部分である斜めリップ部３６（リップ部）が二つ形成される（数は一例であり、複数あればよいものとする）。
【００３１】
＜斜めリップ部３６について＞
斜めリップ部３６は、外周面３５から外側に断面山形状（断面半円形状）に突出する部分として形成される。また、断面山形状の斜めリップ部３６は、この頂部が防水栓２７の中心軸Ｃ１（電線挿通孔３３の軸）に対し所定の角度θで傾く軸Ｃ３上に位置するように形成される（別な言い方をすれば、中心軸Ｃ１に直交する軸Ｃ２とは異なる位置に形成される）。
【００３２】
斜めリップ部３６は、本実施例において二つであって、それぞれ独立した環状の部分に形成される（螺旋状の部分に形成されるものではない）。二つの斜めリップ部３６は、同一形状に形成される。このような二つの斜めリップ部３６は、中心軸Ｃ１に沿って所定の間隔Ｄをあけて並んで配置される。
【００３３】
ここで、図３及び図４を参照しながら上記所定の間隔Ｄについて説明をすると、二つの斜めリップ部３６のそれぞれは、端子収容室２２の内周面３４（筒部２３の内周面３４）に対する初期接触部分Ａと最終接触部分Ｂとを有し、端子収容室２２に先に挿入される斜めリップ部３６ａ（３６）の最終接触部分Ｂの位置と、次に挿入される斜めリップ部３６ｂ（３６）の初期接触部分Ａの位置とが、上記中心軸Ｃ１上で略一致するような間隔Ｄを最短として設定される（尚、間隔Ｄをあけずに並んで配置する場合、背景技術の欄で説明をした特許文献１の問題点が懸念される。以下の説明から分かるようになるが、本発明のように間隔Ｄをあけることが挿入荷重の低減に有効になる）。
【００３４】
＜斜めリップ部３６の作用効果＞
図３において、端子収容室２２に対し防水栓２７の挿入を開始すると、一番先に挿入される斜めリップ部３６ａ（３６）は、この一部、すなわち初期接触部分Ａ（図４参照）が端子収容室２２の開口縁３７に当接する。斜めリップ部３６ａの初期接触部分Ａは、挿入に係る作用により弾性変形して潰れた状態になり、この潰れによって端子収容室２２の内部へと挿入される。斜めリップ部３６ａは、挿入に伴って徐々に弾性変形する部分が増え、最終的にこの全体が弾性変形すると、斜めリップ部３６ａが端子収容室２２に挿入された状態になる。
【００３５】
そして、次に挿入される斜めリップ部３６ｂ（３６）も挿入の過程で上記と同じ状態になる。すなわち、次に挿入される斜めリップ部３６ｂは、この一部、すなわち初期接触部分Ａが端子収容室２２の開口縁３７に当接する。斜めリップ部３６ｂの初期接触部分Ａは、挿入に係る作用により弾性変形して潰れた状態になり、この潰れによって端子収容室２２の内部へと挿入される。斜めリップ部３６ｂは、挿入に伴って徐々に弾性変形する部分が増え、最終的にこの全体が弾性変形すると、斜めリップ部３６ｂが端子収容室２２に挿入された状態になる。
【００３６】
尚、上記や図からも分かるように、先に挿入される斜めリップ部３６ａ（３６）の挿入が終わるタイミングで次に挿入される斜めリップ部３６ｂ（３６）の挿入が開始される。
【００３７】
二つの斜めリップ部３６（３６ａ、３６ｂ）は所定の間隔Ｄをあけて並んで配置されることから、防水栓２７の全てが挿入されると、防水栓２７は二つの斜めリップ部３６の各形成箇所の位置で端子収容室２２の内周面３４に液密に密着する。この時、防水栓２７は、二箇所で恰も保持されたような状態になり、防水栓２７の組み付け先である電線２５（図１参照）に振れが生じた場合であっても、防水栓２７は防水性能の確保に影響するような揺動が生じることがない。
【００３８】
以上、図１ないし図４を参照しながら説明してきたように、本発明によれば、挿入荷重を低減（特に初期挿入荷重を低減）することができるという効果を奏する。これにより、切れ等を防止することができるという効果も奏する。また、本発明によれば、電線２５が振れたとしても防水性能の確保を安定させることができるという効果も奏する。
【実施例２】
【００３９】
以下、図面を参照しながら実施例２を説明する。図５は本発明の他の例に係る防水栓が組み付けられた端子付き電線と、この端子付き電線の収容先になるコネクタハウジングとを示す斜視図である。また、図６は防水栓の側面図、図７は防水栓が端子収容室に挿入される際の状態を示す概略図、図８は防水栓が端子収容室に挿入される際に最初に当接する箇所を模式的に示す防水栓の正面図である。尚、上記実施例１と基本的に同じ構成部材には同一の符号を付して詳細な説明を省略する。
【００４０】
＜全体構成＞
図５において、コネクタハウジング２１は、端子収容室２２を複数有する。端子収容室２２は、コネクタハウジング２１の後部において、円筒形の筒部２３により区画形成される。筒部２３の開口縁は、端子付き電線２４の挿入開始部分である。端子付き電線２４は、電線２５と、この電線２５の端末に設けられる端子金具２６と、電線２５を伝っての水分等の浸入を防止する防水栓２７とを備えて構成される。
【００４１】
＜防水栓２７について＞
図５及び図６において、防水栓２７は、ゴム又はエラストマー製の弾力性を有する略筒状の部材であって、端子金具２６とともに電線２５の端末に設けられる防水栓２７は、防水栓本体３１と、この防水栓本体３１に連続する圧着部３２とを有する。また、防水栓２７は、この中心軸Ｃ１に同軸となる電線挿通孔３３（図８参照）を有する。防水栓２７は、この外側がコネクタハウジング２１の端子収容室２２の内周面３４（図７参照）に液密に密着するように形成される。また、防水栓２７は、この内側が電線２５の被覆外周面に液密に密着するように形成される。さらに、防水栓２７は、圧着部３２の部分が被覆加締め片３０（図５参照）の加締めにより圧縮されるように形成される。
【００４２】
図６において、防水栓本体３１は、中心軸Ｃ１に沿って所定の長さで形成される。防水栓本体３１の外周面３５は、滑らかな曲面に形成される。圧着部３２が連続する側には、本発明の特徴部分である斜めリップ部３８（リップ部）が二つ形成される（数は一例であり、複数あればよいものとする）。
【００４３】
＜斜めリップ部３８について＞
斜めリップ部３８は、外周面３５から外側に断面山形状（断面半円形状）に突出する部分として形成される。また、断面山形状の斜めリップ部３８は、この頂部が防水栓２７の中心軸Ｃ１（電線挿通孔３３の軸）に対し所定の角度θ、θ′で傾く軸Ｃ３、Ｃ３′上に位置するように形成される（別な言い方をすれば、中心軸Ｃ１に直交する軸Ｃ２とは異なる位置に形成される。尚、本実施例において、θ＝θ′とする）。
【００４４】
斜めリップ部３８は、本実施例において二つであって、それぞれ独立した環状の部分（傾く方向の部分が複数連続するような環状の部分）に形成される。二つの斜めリップ部３８は、同一形状に形成される。このような二つの斜めリップ部３８は、中心軸Ｃ１に沿って所定の間隔Ｄをあけて並んで配置される。
【００４５】
ここで、図７及び図８を参照しながら上記所定の間隔Ｄについて説明をすると、二つの斜めリップ部３８のそれぞれは、端子収容室２２の内周面３４（筒部２３の内周面３４）に対する初期接触部分Ａと最終接触部分Ｂとを有し、端子収容室２２に先に挿入される斜めリップ部３８ａ（３８）の最終接触部分Ｂの位置と、次に挿入される斜めリップ部３８ｂ（３８）の初期接触部分Ａの位置とが、上記中心軸Ｃ１上で略一致するような間隔Ｄを最短として設定される。
【００４６】
＜斜めリップ部３８の作用効果＞
図７において、端子収容室２２に対し防水栓２７の挿入を開始すると、一番先に挿入される斜めリップ部３８ａ（３８）は、この一部、すなわち初期接触部分Ａ（図８参照）が端子収容室２２の開口縁３７に当接する。斜めリップ部３８ａの初期接触部分Ａは、挿入に係る作用により弾性変形して潰れた状態になり、この潰れによって端子収容室２２の内部へと挿入される。斜めリップ部３８ａは、挿入に伴って徐々に弾性変形する部分が増え、最終的にこの全体が弾性変形すると、斜めリップ部３８ａが端子収容室２２に挿入された状態になる。
【００４７】
そして、次に挿入される斜めリップ部３８ｂ（３８）も挿入の過程で上記と同じ状態になる。すなわち、次に挿入される斜めリップ部３８ｂは、この一部、すなわち初期接触部分Ａが端子収容室２２の開口縁３７に当接する。斜めリップ部３８ｂの初期接触部分Ａは、挿入に係る作用により弾性変形して潰れた状態になり、この潰れによって端子収容室２２の内部へと挿入される。斜めリップ部３８ｂは、挿入に伴って徐々に弾性変形する部分が増え、最終的にこの全体が弾性変形すると、斜めリップ部３８ｂが端子収容室２２に挿入された状態になる。
【００４８】
尚、上記や図からも分かるように、先に挿入される斜めリップ部３８ａ（３８）の挿入が終わるタイミングで次に挿入される斜めリップ部３８ｂ（３８）の挿入が開始される。
【００４９】
二つの斜めリップ部３８（３８ａ、３８ｂ）は所定の間隔Ｄをあけて並んで配置されることから、防水栓２７の全てが挿入されると、防水栓２７は二つの斜めリップ部３８の各形成箇所の位置で端子収容室２２の内周面３４に液密に密着する。この時、防水栓２７は、二箇所で恰も保持されたような状態になり、防水栓２７の組み付け先である電線２５（図５参照）に振れが生じた場合であっても、防水栓２７は防水性能の確保に影響するような揺動が生じることがない。
【００５０】
以上、図５ないし図８を参照しながら説明してきたように、本発明によれば、挿入荷重を低減（特に初期挿入荷重を低減）することができるという効果を奏する。これにより、切れ等を防止することができるという効果も奏する。また、本発明によれば、電線２５が振れたとしても防水性能の確保を安定させることができるという効果も奏する。
【００５１】
この他、本発明は本発明の主旨を変えない範囲で種々変更実施可能なことは勿論である。
【符号の説明】
【００５２】
２１…コネクタハウジング、  ２２…端子収容室、  ２３…筒部、  ２４…端子付き電線、  ２５…電線、  ２６…端子金具、  ２７…防水栓、  ２８…電気接触部、  ２９…導体加締め片、  ３０…被覆加締め片、  ３１…防水栓本体、  ３２…圧着部、  ３３…電線挿通孔、  ３４…内周面、  ３５…外周面、  ３６、３８…斜めリップ部（リップ部）、  ３６ａ、３８ａ…先に挿入される斜めリップ部、  ３６ｂ、３８ｂ…次に挿入される斜めリップ部、  ３７…開口縁、  Ａ…初期接触部分、  Ｂ…最終接触部分
【図１】
2016076384.tif 000003
【図２】
2016076384.tif 000004
【図３】
2016076384.tif 000005
【図４】
2016076384.tif 000006
【図５】
2016076384.tif 000007
【図６】
2016076384.tif 000008
【図７】
2016076384.tif 000009
【図８】
2016076384.tif 000010
【図９】
2016076384.tif 000011
【図１０】
2016076384.tif 000012
【図１１】
2016076384.tif 000013